(57)【要約】【課題】移動方向に省スペースに構成でき、かつ嵌合部の空隙内での振れを抑えることを可能にしたクリック部材を搭載したレンズ鏡筒およびこれを用いた光学機器を提供する。【解決手段】移動レンズ群を移動させる操作環と、操作環に対して固定された固定環と、固定環、あるいは固定環に一体的に取り付けられる固定部材の外周上に配置される移動部材と、移動部材の移動により内部接点が切り換えられるスイッチ部材と、移動部材、スイッチ部材と夫々第１の係合部、第２の係合部で係合すると共に、固定環あるいは固定部材に設けられる段差部と第３の係合部で係合するクリック部材と、を有するレンズ鏡筒であって、クリック部材は、固定環あるいは固定部材と移動部材の移動方向と直交する方向で係合する第４の係合部を有する。【選択図】図１
2014098822.tif 000002
【特許請求の範囲】
【請求項１】
移動レンズ群を移動させる操作環と、
前記操作環に対して固定された固定環と、
前記固定環、あるいは前記固定環に一体的に取り付けられる固定部材の外周上に配置される移動部材と、
前記移動部材の移動により内部接点が切り換えられるスイッチ部材と、
前記移動部材、前記スイッチ部材と夫々第１の係合部、第２の係合部で係合すると共に、前記固定環あるいは前記固定部材に設けられる段差部と第３の係合部で係合するクリック部材と、を有するレンズ鏡筒であって、
前記クリック部材は、前記固定環あるいは前記固定部材と前記移動部材の移動方向と直交する方向で係合する第４の係合部を有することを特徴とするレンズ鏡筒。
【請求項２】
前記第１の係合部と前記第４の係合部を結ぶ方向は、前記移動部材の移動方向であることを特徴とする請求項１に記載のレンズ鏡筒。
【請求項３】
前記第１の係合部と前記第３の係合部を結ぶ方向は、前記移動部材の移動方向と異なることを特徴とする請求項１または２に記載のレンズ鏡筒。
【請求項４】
前記第１の係合部と前記第３の係合部を結ぶ方向は、前記移動部材の移動方向であることを特徴とする請求項１または２に記載のレンズ鏡筒。
【請求項５】
前記移動部材の移動方向は、前記移動レンズ群が移動する光軸方向であることを特徴とする請求項１乃至４のいずれか１項に記載のレンズ鏡筒。
【請求項６】
前記第４の係合部は、前記固定環あるいは前記固定部材に設けられた前記移動方向と直交する方向で向かい合う面のうち少なくとも１つの斜面に対し付勢されて係合することを特徴とする請求項１乃至５のいずれか１項に記載のレンズ鏡筒。
【請求項７】
前記操作環は、複数の操作環としてマニュアルフォーカス環５、マニュアルズーム環を備えることを特徴とする請求項１乃至６のいずれか１項に記載のレンズ鏡筒。
【請求項８】
前記移動部材は、少なくとも１つの前記操作環より光軸方向において後方に設けられることを特徴とする請求項１乃至７のいずれか１項に記載のレンズ鏡筒。
【請求項９】
請求項１乃至８のいずれか１項に記載のレンズ鏡筒と、固定レンズ群と、移動レンズ群と、を有することを特徴とする光学機器。
【発明の詳細な説明】
【技術分野】
【０００１】
本発明は、レンズ鏡筒およびこれを備えた光学機器に関し、特に切り換え可能なスライドスイッチを備えた光学機器、例えば、一眼レフカメラ、コンパクトカメラ、ＴＶカメラ、液晶プロジェクタ等に好適なものである。
【背景技術】
【０００２】
従来、撮影用レンズ鏡筒において、レンズ操作に関係する機能（オートフォーカスや手振れ補正等）の有効・無効を選択できる切換操作部材をレンズ鏡筒の外装に配置しているものが多い。
【０００３】
例えば、特許文献１では、クリック部材は、固定環の有する孔に挿入された移動部材に対し、固定環の内部で固定される移動部材係合部を有する。また、スイッチ部材は、動作状態を切り換え可能な被操作端を有し、クリック部材は被操作端を駆動させるスイッチ係合部を有する。さらに、クリック部材は、固定環または他の部材と接触することにより、移動する際にクリック感を生じさせるクリック部を有する。そして、クリック部材の移動部材係合部は、クリック部材の移動方向において、スイッチ係合部とクリック部との間に配置されることが開示されている。
【０００４】
クリック部材と一体的に固定される移動部材は、少なくとも１つの操作環より光軸方向において後方に配置されることが多く、クリック部材の移動方向は光軸方向であることが多い。特許文献１の構成は、クリック部材の移動方向にスペースが必要であるため、クリック部材が少なくとも１つの操作環より光軸方向に後方に配置され、クリック部材が光軸方向に動くレンズには適さない。
【０００５】
そこで、クリック部材の移動方向に省スペースな構成として、特許文献２が挙げられる。特許文献２ではスライド部材のクリック部とスイッチ係合部は夫々移動方向において移動部材係合部と同一線上にない構成が開示されている。
【先行技術文献】
【特許文献】
【０００６】
【特許文献１】特開２００７−８７９３３号公報
【特許文献２】特開２００８−４１４３９号公報
【発明の概要】
【発明が解決しようとする課題】
【０００７】
しかしながら、上述の特許文献２に開示された従来技術では、固定環の孔の幅と孔に挿入される移動部材の幅が嵌合し、移動部材とクリック部材を移動方向に案内しているが、クリック部材のクリック部が移動部材係合部と同一線上にいない。また、移動部材の大きさを小型化するため、固定環の孔とこの孔に挿入される移動部材の嵌合部を最小限の大きさにしており、固定環と移動部材の嵌合長は短くなっている。そのため、クリック部材において移動部品係合部を中心にクリック部を腕とするモーメントが発生し、一体的に取り付けられている移動部材は嵌合部の空隙内で振れが生じ、外側から振れて見えてしまう。
【０００８】
本発明の目的は、移動方向に省スペースに構成でき、かつ嵌合部の空隙内での振れを抑えることを可能にしたクリック部材を搭載したレンズ鏡筒およびこれを用いた光学機器を提供することにある。
【課題を解決するための手段】
【０００９】
上記目的を達成するために、本発明に係るレンズ鏡筒は、移動レンズ群を移動させる操作環と、前記操作環に対して固定された固定環と、前記固定環、あるいは前記固定環に一体的に取り付けられる固定部材の外周上に配置される移動部材と、前記移動部材の移動により内部接点が切り換えられるスイッチ部材と、前記移動部材、前記スイッチ部材と夫々第１の係合部、第２の係合部で係合すると共に、前記固定環あるいは前記固定部材に設けられる段差部と第３の係合部で係合するクリック部材と、を有するレンズ鏡筒であって、前記クリック部材は、前記固定環あるいは前記固定部材と前記移動部材の移動方向と直交する方向で係合する第４の係合部を有することを特徴とする。
【００１０】
また、上記レンズ鏡筒と、固定レンズ群と、移動レンズ群と、を有する光学機器も本発明の他の一側面を構成する。
【発明の効果】
【００１１】
本発明によれば、移動方向に省スペースに構成でき、かつ嵌合部の空隙内での振れを抑えることを可能にしたクリック部材を搭載したレンズ鏡筒およびこれを用いた光学機器を提供することができる。
【図面の簡単な説明】
【００１２】
【図１】本発明の第１の実施形態に係るレンズ鏡筒におけるクリック部材としてのクリックバネを示す斜視図である。
【図２】第１の実施形態に係るレンズ鏡筒におけるクリックバネを示す分解斜視図である。
【図３】（ａ）、（ｂ）は本発明の実施形態に係るクリックバネを搭載したカメラ用交換レンズ鏡筒の外観図である。
【図４】第１の実施形態に係るレンズ鏡筒におけるクリックバネの案内部を示す断面図である。
【図５】本発明の第２の実施形態に係るレンズ鏡筒におけるクリック部材としてのクリックバネを示す斜視図である。
【図６】第２の実施形態に係るレンズ鏡筒におけるクリックバネを示す分解斜視図である。
【図７】第２の実施形態に係るレンズ鏡筒におけるクリックバネの付勢部を示す断面図である。
【発明を実施するための形態】
【００１３】
以下に、本発明の好ましい実施の形態を、添付の図面に基づいて詳細に説明する。
【００１４】
《第１の実施形態》
以下、図１乃至図４を参照して、クリック部材としてのクリックバネ４を搭載した、本発明の第1の実施形態に係るレンズ鏡筒およびこれを用いた光学機器について説明する。ここで、光学機器としては、一眼レフカメラ、コンパクトカメラ、ＴＶカメラ、液晶プロジェクタ等が該当する。
【００１５】
図３（ａ）、（ｂ）は、固定レンズ群と移動レンズ群を備えるレンズ鏡筒の外観図を示す。レンズ鏡筒には、複数のレンズ群の周囲を覆う固定環としての外装環１と、外装環１に対し定位置回転する複数の操作環としてのマニュアルフォーカス環５、マニュアルズーム環６が設けられる。マニュアルフォーカス環５の回転運動を光軸方向運動に変換し、不図示の移動レンズ群であるフォーカスレンズは、光軸方向に移動する。
【００１６】
同様に、マニュアルズーム環６の回転運動を光軸方向運動に変換し、不図示の移動レンズ群であるズームレンズは、光軸方向に移動する。このようなレンズ鏡筒は、マウント７を介してレンズ交換が可能な一眼レフカメラ等に取り付けられる。外装環１の外周上には、マニュアルフォーカス環５、もしくはマニュアルズーム環６のいずれかより後方の位置において、レンズの光軸方向に手動で操作する移動部材としてのスライド部２が設けられている。
【００１７】
図１は、本実施形態のレンズ鏡筒の内観を示す斜視図であり、図２はそこに取り付けられている切換操作機構の分解斜視図である。固定環である外装環１には貫通する孔１ａが設けられており、移動部材であるスライド部２の外装環係合部２ａが外側から内側に向け挿入されつつ係合している。
【００１８】
外装環１に固定されたスイッチ部材としての切換スイッチ３の下面には、内部接点と連動する被操作端３ａが設けられ、被操作端３ａは、スライド部２およびこれと一体化するクリック部材としてのクリックバネ４により、光軸方向に切り換えられる。切換スイッチ３の上面には電気接片３ｂが突設され、切換スイッチ３の背面にはフレキシブルプリント基板９が接して設けられ、フレキシブルプリント基板の導体は切換スイッチ３の電気接片３ｂに接続されている。
【００１９】
クリックバネ４は、スライド部２の外装環係合部２ａとレンズ鏡筒内側で係合するスライド部係合部４ａ（第１の係合部）を有し、ビス８でクリックバネ４のスライド部係合部４ａはスライド部２の外装環係合部２ａに取り付けられる。更に、クリックバネ４には切換スイッチ３の下面に設けられた被操作端３ａと係合するスイッチ操作部４ｂ（第２の係合部）と、外装環１のクリック溝１ｃに入り込みクリック感（手応え）を生じさせるクリック部４ｃ（第３の係合部）が設けられている。
【００２０】
また、クリックバネ４は、後に詳述するように、外装環１の案内溝１ｂに対し光軸方向と直交する方向に係合する係合部としての外装環案内部４d(第４の係合部）を有する。ここで、図４に、外装環１の案内溝１ｂとクリックバネ４の外装環案内部４ｄの断面図を示す。図４の光軸方向は紙面直交方向である。
【００２１】
このような構成により、スライド部２をレンズ鏡筒の光軸方向に所定寸法移動するとき、スライド部２に一体的に取り付けられたクリックバネ４は光軸方向に所定寸法移動する。スライド部２は、マニュアルフォーカス環５とマニュアルズーム環６の間、あるいはマニュアルフォーカス環５もしくはマニュアルズーム環６とマウント７の間に配置されるため、光軸方向にコンパクトに構成したい。そこで、クリックバネ４のクリック部４ｃは、クリックバネのスライド部係合部４ａと光軸方向に同一線上ではなくオフセットした位置に配置されている。
【００２２】
ここで、クリック部４ｃのバネ力により、スライド部係合部４ａを中心にクリック部４ｃを腕としてモーメントが発生する。モーメントによるスライド部２の振れを抑えるために、各々係合している外装環１の孔１ａとスライド部２の外装環係合部２ａと光軸方向で同一線上に、外装環１の案内溝１ｂに対しクリックバネ４の外装環案内部４ｄが光軸方向と直交する方向に係合している。
【００２３】
このように、光軸方向に省スペースな構成において、光軸方向の同一線上の離れた２箇所に係合部４ａ、４ｄを持つことで、スライド部２の係合ガタ内での振れによる回転角度を小さくし、振れを抑えることができる。これにより、従来の振れに伴って移動部材であるスライド部２が外側から振れて見えてしまうという課題が解決される。
【００２４】
《第２の実施形態》
以下、図５乃至図７を参照して、本発明の第２の実施形態に係るクリック部材としてのクリックバネを搭載したレンズ鏡筒について説明する。第１の実施形態では、移動部材であるスライド部の移動方向に直交する方向で外装環の案内溝とクリックバネの案内部が係合する構成を示したが、本実施形態では外装環の案内溝の少なくとも１つの斜面に対しクリックバネの付勢部が付勢している構成を示す。
【００２５】
図５は、本実施形態のレンズ鏡筒の内観を示す斜視図であり、図６は、そこに取り付けられている切換操作機構の分解斜視図である。外装環１１には貫通する孔１１ａが設けられており、スライド部２の外装環係合部２ａが外側から内側に向け挿入されつつ係合している。外装環１１に固定された切換スイッチ３の下面には被操作端３ａが設けられ、被操作端３ａは光軸方向に切り換えられる。切換スイッチ３の上面には電気接片３ｂが突設され、切換スイッチ３の背面にはフレキシブルプリント基板９が接して設けられ、フレキシブルプリント基板の導体は切換スイッチ３の電気接片３ｂに接続されている。
【００２６】
クリックバネ１４はスライド部２の外装環係合部２ａとレンズ鏡筒内側で係合するスライド部係合部１４ａ（第１の係合部）を有し、ビス８でクリックバネ４のスライド部係合部１４ａはスライド部２の外装環係合部２ａに取り付けられる。更に、クリックバネ１４には切換スイッチ３の下面に設けられた被操作端３ａと係合するスイッチ操作部１４ｂ（第２の係合部）と、外装環１１のクリック溝１１ｃに入り込みクリック感を生じさせるクリック部１４ｃ（第３の係合部）が設けられている。
【００２７】
また、外装環１１の案内溝１１ｂは光軸方向と直交する方向に向かい合う面のうち片方が斜面になっており、クリックバネ１４は案内溝１１ｂの斜面に対し付勢しつつ直角面に片寄せされる係合部としての外装環付勢部１４ｄ（第４の係合部）を有する。図７は、外装環１１の案内溝１１ｂとクリックバネ１４の外装環付勢部１４ｄの断面図を示す。図７の光軸方向は紙面直交方向である。
【００２８】
このような構成により、スライド部２をレンズ鏡筒の光軸方向に所定寸法移動して、スライド部２に一体的に取り付けられたクリックバネ１４も光軸方向に所定寸法移動する。スライド部２は、複数の操作環であるマニュアルフォーカス環５とマニュアルズーム環６の間、あるいは操作環であるマニュアルフォーカス環５もしくはマニュアルズーム環６とマウント７の間に配置される。即ち、スライド部２は、少なくとも一つの操作環より光軸方向において後方（物体側あるいは入射側とは反対側）に配置される。
【００２９】
スライド部係合部１４ａ（第１の係合部）および外装環付勢部１４ｄ（第４の係合部）が光軸方向に配置される構成下で、光軸方向のコンパクト化を図るため、クリックバネ１４のクリック部１４ｃ（第３の係合部）は、以下のように配置される。即ち、クリックバネのスライド部係合部１４ａ（第１の係合部）と光軸方向に同一線上ではなくオフセットした位置に配置される。
【００３０】
ここで、クリック部１４ｃのバネ力により、スライド部係合部１４ａを中心にクリック部１４ｃを腕としてモーメントが発生する。このとき、モーメントによるスライド部２の振れを抑えるため、各々係合している外装環１１の孔１１ａとスライド部２の外装環係合部２ａと光軸方向で同一線上に、外装環付勢部１４ｄが第４の係合部として設けられる。
【００３１】
即ち、クリックバネ１４の外装環付勢部１４ｄが、外装環１の案内溝１１ｂに対し光軸方向と直交する方向に係合する。このように、光軸方向に省スペースな構成において、光軸方向の同一線上の離れた２箇所に係合部（第１の係合部と第４の係合部）を持つことで、スライド部２の係合ガタ内での振れによる回転角度を小さくし、振れを抑えている。
【００３２】
なお、本実施形態では外装環１の案内溝１１ｂは一方が斜面、他方は直角面であったが、両方が斜面であってもよい。
【００３３】
（変形例）
以上、本発明の好ましい実施形態について説明したが、本発明はこれらの実施形態に限定されず、その要旨の範囲内で種々の変形及び変更が可能である。
【００３４】
（変形例１）
固定環である外装環に取り付ける替わりに、外装環に一体的に取り付けられた固定部材に孔、案内溝、クリック溝を設けても良い。また、レンズ鏡筒は交換可能ではなく、撮影機器等に一体的に取り付けられていても良い。更に、光学機器は、上述したレンズ鏡筒および撮影光学系を備える一眼レフカメラ、コンパクトカメラ、ＴＶカメラ等の他、上述したレンズ鏡筒および投影光学系を備える液晶プロジェクタ等でもよい。
【００３５】
（変形例２）
また、上述した実施形態では、クリック部（第３の係合部）４ｃ、１４ｃを固定環である外装環１のクリック溝１ｃに係合するものとしたが、段差部が設けられれば良く、溝部の替わりに突起部を設けても良い。
【００３６】
（変形例３）
また、上述した実施形態では、第１の係合部（４ａ、１４ａ）と第３の係合部（４ｃ、１４ｃ）を結ぶ方向を、移動部材であるスライド部２の移動方向と異なる方向としたが、移動部材の移動方向としても良い。また、移動部材の移動方向は、光軸方向と異なる方向であっても良い。
【符号の説明】
【００３７】
１、１１・・外装環（固定環）、２・・スライド部（移動部材）、３・・切換スイッチ（スイッチ部材）、４、１４・・クリックバネ（クリック部材）、４ａ、１４ａ・・スライド部係合部（第１の係合部）、４ｂ、１４ｂ・・スイッチ操作部（第２の係合部）、４ｃ、１４ｃ・・クリック部（第３の係合部）、４ｄ、１４ｄ・・外装環案内部（第４の係合部）
【図１】
2014098822.tif 000003
【図２】
2014098822.tif 000004
【図３】
2014098822.tif 000005
【図４】
2014098822.tif 000006
【図５】
2014098822.tif 000007
【図６】
2014098822.tif 000008
【図７】
2014098822.tif 000009